(57)【要約】【課題】無線通信システムにおいてセル再選択過程を遂行する方法を提供する。【解決手段】無線通信システムにおいてセル再選択過程を遂行する方法は、相異の周波数帯域を使用するサービングセルと隣接セルの優先順位を確認する段階、前記サービングセルより高い優先順位の隣接セルに対する周波数間測定(inter-frequency  measurement)を遂行する段階、前記サービングセルと同じ、或いは低い優先順位の隣接セルに対しては前記サービングセルの信号特性が臨界値以下であると周波数間測定を遂行する段階、及び前記優先順位に従ってセル再選択を遂行する段階、を含む。端末のセル再選択過程で優先順位に従って不必要なセル探索を縮めることができ、セル再選択指示子によりセル再選択基準を調節してシステム負荷及び端末の電力消耗を縮めてセル再選択過程が效率的に遂行される。【選択図】図１２
2010527178.tif 000002
【特許請求の範囲】
【請求項１】
無線通信システムにおいてセル再選択過程を遂行する方法において、
相異の周波数帯域を使用するサービングセルと隣接セルの優先順位を確認する段階；
前記サービングセルより高い優先順位の隣接セルに対する周波数間測定(inter-frequency  measurement)を遂行する段階；
前記サービングセルと同じ、或いは低い優先順位の隣接セルに対しては前記サービングセルの信号特性が臨界値以下であると周波数間測定を遂行する段階；及び、
前記優先順位に従ってセル再選択を遂行する段階；
を含む、セル再選択過程を遂行する方法。
【請求項２】
前記周波数間測定は、相異のＥ-ＵＴＲＡＮ(Evolved-UMTS  Terrestrial  Radio  Access  Network)または相異のＲＡＴ(radio  access  technology)の周波数を測定することを特徴とする、請求項１に記載のセル再選択過程を遂行する方法。
【請求項３】
前記隣接セルの中から前記サービングセルより優先順位が高く、高い優先順位へのセル再選択基準となる第１の優先順位臨界値より信号特性の高い隣接セルにセル再選択を遂行することを特徴とする、請求項１に記載のセル再選択過程を遂行する方法。
【請求項４】
前記隣接セルの中から前記サービングセルより優先順位が低く、低い優先順位へのセル再選択基準となる第２の優先順位臨界値より信号特性の高い隣接セルにセル再選択を遂行することを特徴とする、請求項１に記載のセル再選択過程を遂行する方法。
【請求項５】
前記隣接セルの中からサービングセルと優先順位が同一であり、信号特性にともなうセル等級の高い隣接セルにセル再選択を遂行することを特徴とする、請求項１に記載のセル再選択過程を遂行する方法。
【請求項６】
前記優先順位は、ＲＲＣ(radio  resource  control)メッセージを介して伝送されることを特徴とする、請求項１に記載のセル再選択過程を遂行する方法。
【請求項７】
前記優先順位は、システム情報を介して伝送されることを特徴とする、請求項１に記載のセル再選択過程を遂行する方法。
【請求項８】
前記優先順位は、専用シグナリングにより伝送されて、前記専用シグナリングにより伝送された優先順位以外の優先順位は無視されることを特徴とする、請求項１に記載のセル再選択過程を遂行する方法。
【請求項９】
無線通信システムにおいてセル再選択過程を遂行する方法において、
サービングセル及び隣接セルの信号特性を測定する段階；及び、
前記隣接セルの中から選択される一つのセルに再選択を遂行する段階；を含み、前記サービングセル及び前記隣接セルは、相異の周波数帯域を使用して、前記隣接セルの優先順位が前記サービングセルより高い、或いは前記サービングセルの信号特性が臨界値以下である場合にのみ前記隣接セルの信号特性を測定する、セル再選択過程を遂行する方法。
【請求項１０】
前記サービングセル及び前記隣接セルは、相異のＥ-ＵＴＲＡＮに属するセルであることを特徴とする、請求項９に記載のセル再選択過程を遂行する方法。
【請求項１１】
前記サービングセル及び前記隣接セルは、相異のＲＡＴに属するセルであることを特徴とする、請求項９に記載のセル再選択過程を遂行する方法。
【発明の詳細な説明】
【技術分野】
【０００１】
本発明は、無線通信に関し、より詳しくは、無線通信システムにおいてセル再選択過程を遂行する方法に関する。
【背景技術】
【０００２】
ＷＣＤＭＡ(Wideband  Code  Division  Multiple  Access)無線接続技術に基づいた３ＧＰＰ(3rd  Generation  Partnership  Project)移動通信システムは、全世界で広範囲に展開している。ＷＣＤＭＡの最初進化段階と定義することができるＨＳＤＰＡ(High  Speed  Downlink  Packet  Access)は、中期的(mid-term)未来で高い競争力を有する無線接続技術を３ＧＰＰに提供する。然しながら、使用者と事業者の要求事項と期待が持続的に増加して競争する無線接続技術開発が進行し続けているため、今後競争力を有するためには３ＧＰＰにおける新しい技術進化が要求される。ビット当たり費用減少、サービス可用性増大、融通性のある周波数バンドの使用、単純構造と開放型インターフェース、端末の適切なパワー消耗などが要求事項となっている。
【０００３】
セル選択(cell  section)過程は、端末がサービスの提供を受けるためのセルを選択する過程である。一般的に、端末は、検索可能な全ての周波数バンドで基地局との信号測定過程を介して最も強い信号特性値を有するセルを選択する。端末にサービスを提供するサービングセル(serving  cell)から遠ざかると、一層良い信号を受信することができる適したセルを再選択する。これをセル再選択(cell  reselection)過程という。セル再選択過程は、アイドル(idle)状態における信号測定及びセル再選択基準に基づいて一層適したセルを選択することである。端末は、ネットワークにサービスを要請する、或いはネットワークからサービスを受けるためにアイドル状態で待機する。アイドル状態の端末は、サービングセルと隣接セル(neighbor  cell)の信号測定を介してさらに良い信号特性を有するセルを再選択する過程を繰り返す。
【０００４】
端末の信号測定だけでセル再選択過程が遂行されると、一つのセルに複数の端末が位置すると、キャンプ負荷(camp  load)やトラフィック負荷(traffic  load)のようなシステム負荷(system  load)が発生することができ、基地局は、このようなシステム負荷を適切に分散させることができない。移動性を有する端末に対して一層良い品質のサービスを提供するためにセル再選択過程は重要である。
【０００５】
端末のセル再選択過程が效率的に遂行されることができる方法が要求される。
【発明の概要】
【発明が解決しようとする課題】
【０００６】
本発明が解決しようとする技術的課題は、セル再選択過程を遂行する方法を提供することである。
【課題を解決するための手段】
【０００７】
本発明の一態様にともなう無線通信システムにおいてセル再選択過程を遂行する方法は、相異の周波数帯域を使用するサービングセルと隣接セルの優先順位を確認する段階、前記サービングセルより高い優先順位の隣接セルに対する周波数間測定(inter-frequency  measurement)を遂行する段階、前記サービングセルと同じ、或いは低い優先順位の隣接セルに対しては前記サービングセルの信号特性が臨界値以下であると周波数間測定を遂行する段階、及び前記優先順位に従ってセル再選択を遂行する段階、を含む。
【０００８】
本発明の他の態様にともなう無線通信システムにおいてセル再選択過程を遂行する方法は、サービングセル及び隣接セルの信号特性を測定する段階、及び前記隣接セルの中から選択される一つのセルに再選択を遂行する段階、を含み、前記サービングセル及び前記隣接セルは、相異の周波数帯域を使用して、前記隣接セルの優先順位が前記サービングセルより高い、或いは前記サービングセルの信号特性が臨界値以下である場合にのみ前記隣接セルの信号特性を測定する。
【発明の効果】
【０００９】
端末のセル再選択過程で優先順位に従って不必要なセル探索を縮めることができてセル再選択指示子によってセル再選択基準を調節してシステム負荷及び端末の電力消耗を縮めてセル再選択過程が效率的に遂行される。
【図面の簡単な説明】
【００１０】
【図１】無線通信システムを示すブロック図である。
【図２】Ｅ-ＵＴＲＡＮとＥＰＣとの間の機能分割を示すブロック図である。
【図３】端末の要素を示すブロック図である。
【図４】使用者平面に対する無線プロトコル構造を示すブロック図である。
【図５】制御平面に対する無線プロトコル構造を示すブロック図である。
【図６】ダウンリンク論理チャネルとダウンリンク伝送チャネルとの間のマッピングを示す。
【図７】アップリンク論理チャネルとアップリンク伝送チャネルとの間のマッピングを示す。
【図８】ダウンリンク伝送チャネルとダウンリンク物理チャネルとの間のマッピングを示す。
【図９】アップリンク伝送チャネルとアップリンク物理チャネルとの間のマッピングを示す。
【図１０】アイドルモード(idle  mode)で端末がセルを選択する過程を示すフローチャートである。
【図１１】端末がセル再選択のためにセル探索を遂行する基準を示す。
【図１２】本発明の一実施例に係る端末がセルを再選択する過程を示すフローチャートである。
【図１３】本発明の他の実施例に係る端末がセルを再選択する過程を示すフローチャートである。
【図１４】本発明の一実施例に係る端末がセル再選択のためにセル探索を遂行する基準を示す。
【発明を実施するための形態】
【００１１】
図１は、無線通信システムを示すブロック図である。これはＥ-ＵＭＴＳ(Evolved-Universal  Mobile  Telecommunications  System)の網構造であってもよい。Ｅ-ＵＭＴＳシステムは、ＬＴＥ(Long  Term  Evolution)システムということもできる。無線通信システムは、音声、パケットデータなどのような多様な通信サービスを提供するために広く配置される。
【００１２】
図１を参照すると、Ｅ-ＵＴＲＡＮ(Evolved-UMTS  Terrestrial  Radio  Access  Network)は、制御平面(control  plane)と使用者平面(user  plane)を提供する基地局(２０；Base  Station、ＢＳ)を含む。
【００１３】
端末(１０；User  Equipment、ＵＥ)は、固定されたり移動性を有することができ、ＭＳ(Mobile  station)、ＵＴ(User  Terminal)、ＳＳ(Subscriber  Station)、無線機器(WirelessDevice)等、他の用語とも呼ばれることがある。基地局(２０)は、一般的に端末(１０)と通信する固定された地点(fixed  station)をいい、ｅＮＢ(evolved-NodeB)、ＢＴＳ(Base  Transceiver  System)、アクセスポイント(Access  Point)等、他の用語とも呼ばれることがある。一つの基地局(２０)には一つ以上のセルが存在できる。基地局(２０)間には使用者トラフィックあるいは制御トラフィック伝送のためのインターフェースが使われることもできる。以下、ダウンリンク(downlink)は基地局(２０)から端末(１０)への通信を意味して、アップリンク(uplink)は端末(１０)から基地局(２０)への通信を意味する。
【００１４】
基地局(２０)は、Ｘ２インターフェースを介してお互いに連結されることができる。基地局(２０)は、Ｓ１インターフェースを介してＥＰＣ(Evolved  Packet  Core)、より詳しくは、ＭＭＥ(Mobility  Management  Entity)/Ｓ-ＧＷ(Serving  Gateway、３０)と連結される。Ｓ１インターフェースは、基地局(２０)とＭＭＥ/Ｓ-ＧＷ(３０)間に多数-対-多数関係(many-to-many-relation)を支援する。
【００１５】
図２は、Ｅ-ＵＴＲＡＮとＥＰＣとの間の機能分割(functional  split)を示すブロック図である。斜線をひいたボックスは、無線プロトコル階層(radio  protocol  layer)を示して、白いボックスは、制御平面の機能的個体(functional  entity)を示す。
【００１６】
図２を参照すると、基地局は次のような機能を遂行する。(１)無線ベアラ制御(Radio  Bearer  Control)、無線許可制御(Radio  Admission  Control)、連結移動性制御(Connection  Mobility  Control)、端末への動的資源割当(Dynamic  Resource  Allocation)のような無線資源管理(Radio  Resource  Management；ＲＲＭ)機能、(２)ＩＰ(Internet  Protocol)ヘッダ圧縮及び使用者データストリームの解読(encryption)、(３)Ｓ-ＧＷへの使用者平面データのルーティング(routing)、(４)  ページング(paging)メッセージのスケジューリング及び伝送、(５)ブロードキャスト(broadcast)情報のスケジューリング及び伝送、(６)移動性とスケジューリングのための測定と測定報告設定。
【００１７】
ＭＭＥは、次のような機能を遂行する。(１)ＮＡＳ(Non-Access  Stratum)シグナリング、(２)ＮＡＳシグナリング保安(security)、(３)アイドルモードＵＥ到達性(Idle  mode  UE  Reachability)、(４)トラッキング領域リスト管理(Tracking  Area  list  management)、(５)ローミング(Roaming)、(６)認証(Authentication)。
【００１８】
Ｓ-ＧＷは、次のような機能を遂行する。(１)移動性アンカーリング(mobility  anchoring)、(２)合法的盗聴(lawful  interception)。Ｐ-ＧＷ(PDN-Gateway)は、次のような機能を遂行する。(１)端末ＩＰ(internet  protocol)割当(allocation)、(２)パケットフィルターリング。
【００１９】
図３は、端末の要素を示したブロック図である。端末(５０)は、プロセッサ(processor、５１)、メモリ(memory、５２)、ＲＦ部(RF  unit、５３)、ディスプレー部(display  unit、５４)、使用者インターフェース部(user  interface  unit、５５)を含む。プロセッサ(５１)は、無線インターフェースプロトコルの階層が具現され、制御平面と使用者平面を提供する。各階層の機能はプロセッサ(５１)を介して具現されることができる。プロセッサ(５１)は、後述するシステム情報の獲得過程を遂行する。
【００２０】
メモリ(５２)は、プロセッサ(５１)と連結されて、端末駆動システム、アプリケーション及び一般的なファイルを格納する。ディスプレー部(５４)は、端末の多様な情報をディスプレーして、ＬＣＤ(Liquid  Crystal  Display)、ＯＬＥＤ(Organic  Light  Emitting  Diodes)等、よく知られている要素を使用することができる。使用者インターフェース部(５５)は、キーパッドやタッチスクリーンなど、よく知られている使用者インターフェースの組合せからなることができる。ＲＦ部(５３)は、プロセッサと連結されて、無線信号(radio  signal)を送信及び/または受信する。
【００２１】
端末とネットワークとの間の無線インターフェースプロトコル(radio  interface  protocol)の階層は、通信システムにおいて広く知られている開放型システム間相互接続(Open  System  Interconnection；ＯＳＩ)モデルの下位３個階層に基づいて、Ｌ１(第１階層)、Ｌ２(第２階層)、Ｌ３(第３階層)に区分されることができる。このうち、第１階層に属する物理階層は、物理チャネル(physical  channel)を用いた情報伝送サービス(information  transfer  service)を提供して、第３階層に位置する無線資源制御(radio  resource  control；以下、ＲＲＣという)階層は、端末とネットワークとの間に無線資源を制御する役割を遂行する。このために、ＲＲＣ階層は、端末とネットワークとの間にＲＲＣメッセージをお互いに交換する。
【００２２】
図４は、使用者平面(user  plane)に対する無線プロトコル構造(radio  protocol  architecture)を示すブロック図である。図５は、制御平面(control  plane)に対する無線プロトコル構造を示すブロック図である。これは端末とＥ-ＵＴＲＡＮとの間の無線インターフェースプロトコルの構造を示す。使用者平面は、使用者データ伝送のためのプロトコルスタック(protocol  stack)であり、制御平面は、制御信号伝送のためのプロトコルスタックである。
【００２３】
図４及び図５を参照すると、第１階層である物理階層(ＰＨＹ(physical)  layer)は、物理チャネル(physical  channel)を用いて上位階層に情報伝送サービス(information  transfer  service)を提供する。物理階層は、上位にある媒体接続制御(Medium  Access  Control；ＭＡＣ)階層と伝送チャネル(transport  channel)を介して連結されており、この伝送チャネルを介してＭＡＣ階層と物理階層との間のデータが移動する。また、相異の物理階層間、即ち、送信側と受信側の物理階層間は物理チャネルを介してデータが移動する。
【００２４】
第２階層のＭＡＣ階層は、論理チャネル(logical  channel)を介して上位階層である無線リンク制御(Radio  Link  Control；ＲＬＣ)階層にサービスを提供する。第２階層のＲＬＣ階層は信頼性のあるデータの伝送を支援する。ＲＬＣ階層にはデータの伝送方法に伴って、透明モード(Transparent  Mode、ＴＭ)、非確認モード(Unacknowledged  Mode、ＵＭ)及び確認モード(Acknowledged  Mode、ＡＭ)の３種類の動作モードが存在する。ＡＭ  ＲＬＣは、両方向データ伝送サービスを提供して、ＲＬＣ  ＰＤＵ(Protocol  Data  Unit)の伝送失敗時、再伝送を支援する。
【００２５】
第２階層のＰＤＣＰ(Packet  Data  Convergence  Protocol)階層は、ＩＰパケットヘッダサイズを減らさせるヘッダ圧縮(header  compression)機能を遂行する。
【００２６】
第３階層の無線資源制御(Radio  Resource  Control；以下、ＲＲＣ)階層は制御平面でのみ定義される。ＲＲＣ階層は、無線ベアラ(Radio  Bearer；以下、ＲＢ)の設定(configuration)、再設定(re-configuration)及び解除(release)と関連して論理チャネル、伝送チャネル及び物理チャネルの制御を担当する。ＲＢは、端末とＥ-ＵＴＲＡＮとの間のデータ伝達のために第２階層により提供されるサービスを意味する。端末のＲＲＣとネットワークのＲＲＣとの間にＲＲＣ連結(RRC  Connection)のある場合、端末は、ＲＲＣ連結モード(RRC  Connected  Mode)にあるようになり、そうでない場合、ＲＲＣアイドルモード(RRC  Idle  Mode)にあるようになる。
【００２７】
ＲＲＣ階層上位に位置するＮＡＳ(Non-Access  Stratum)階層は、連結管理(Session  Management)と移動性管理(Mobility  Management)などの機能を遂行する。
【００２８】
図６は、ダウンリンク論理チャネルとダウンリンク伝送チャネルとの間のマッピングを示す。図７は、アップリンク論理チャネルとアップリンク伝送チャネルとの間のマッピングを示す。これらは３ＧＰＰ  ＴＳ  ３６.３００  Ｖ８.３.０(２００７-１２)  Technical  Specification  Group  Radio  Access  Network；Evolved  Universal  Terrestrial  Radio  Access(E-UTRA)  and  Evolved  Universal  Terrestrial  Radio  Access  Network(Ｅ-ＵＴＲＡＮ)；Overall  description；Stage２(Release８)の６.１.３節を参照することができる。
【００２９】
図６及び図７を参照すると、ダウンリンクでＰＣＣＨ(Paging  Control  Channel)はＰＣＨ(Paging  Channel)にマッピングされ、ＢＣＣＨ(Broadcast  Control  Channel)はＢＣＨ(Broadcast  Channel)またはＤＬ-ＳＣＨ(Downlink  Shared  Channel)にマッピングされる。ＣＣＣＨ(Common  Control  Channel)、ＤＣＣＨ(Dedicated  Control  Channel)、ＤＴＣＨ(Dedicated  Traffic  Channel)、ＭＣＣＨ(Multicast  Control  Channel)及びＭＴＣＨ(Multicast  Traffic  Channel)は、ＤＬ-ＳＣＨにマッピングされる。ＭＣＣＨとＭＴＣＨは、ＭＣＨ(Multicast  Channel)にもマッピングされる。アップリンクでＣＣＣＨ、ＤＣＣＨ及びＤＴＣＨは、ＵＬ-ＳＣＨ(uplink  shared  channel)にマッピングされる。
【００３０】
各論理チャネルタイプは、どんな種類の情報が伝送されるかに従って定義される。論理チャネルは、制御チャネルとトラフィックチャネルの２種類がある。
【００３１】
制御チャネルは制御平面情報の伝送に使われる。ＢＣＣＨは、システム制御情報をブロードキャスティングするためのダウンリンクチャネルである。ＰＣＣＨは、ページング情報を伝送するダウンリンクチャネルであって、ネットワークが端末の位置を知らない時使用する。ＣＣＣＨは、端末とネットワークとの間の制御情報を伝送するチャネルであって、端末がネットワークとＲＲＣ連結のない時使用する。ＭＣＣＨは、ＭＢＭＳ(multimedia  broadcast  multicast  service)制御情報の伝送に使われる点対多(point-to-multipoint)ダウンリンクチャネルであり、ＭＢＭＳを受信する端末に使われる。ＤＣＣＨは、端末とネットワークとの間の専用制御情報を伝送する点対点単方向チャネルであり、ＲＲＣ連結を有する端末により使われる。
【００３２】
トラフィックチャネルは使用者平面情報の伝送に使われる。ＤＴＣＨは、使用者情報の伝送のための点対点チャネルであり、アップリンクとダウンリンクの両方に存在する。ＭＴＣＨは、トラフィックデータの伝送のための点対多ダウンリンクチャネルであり、ＭＢＭＳを受信する端末に使われる。
【００３３】
伝送チャネルは、無線インターフェースを介して、データが、どのように、どんな特徴に伝送されるかに従って分類される。ＢＣＨは、セルの全領域でブロードキャストされて固定された予め定義された伝送フォーマットを有する。ＤＬ-ＳＣＨは、ＨＡＲＱ(hybrid  automatic  repeat  request)の支援、変調、コーディング及び伝送パワーの変化による動的リンク適応の支援、ブロードキャストの可能性、ビームフォーミング(beamforming)の可能性、動的/半静的(semi-static)の資源割当支援、端末パワー節約のためのＤＲＸ(discontinuous  reception)支援及びＭＢＭＳ伝送支援として特徴される。ＰＣＨは、端末パワー節約のためのＤＲＸ支援、セルの全領域へのブロードキャストとして特徴される。ＭＣＨは、セルの全領域へのブロードキャスト及びＭＢＳＦＮ(MBMS  Single  Frequency  Network)支援として特徴される。
【００３４】
アップリンク伝送チャネルは、ＵＬ-ＳＣＨとＲＡＣＨ(random  access  channel)がある。ＵＬ-ＳＣＨは、伝送パワー及び変調及びコーディングを変化させる動的リンク適応の支援、ＨＡＲＱ支援及び動的及び半静的の資源割当の支援として特徴される。ＲＡＣＨは、制限された制御情報と衝突危険として特徴される。
【００３５】
図８は、ダウンリンク伝送チャネルとダウンリンク物理チャネルとの間のマッピングを示す。図９は、アップリンク伝送チャネルとアップリンク物理チャネルとの間のマッピングを示す。
【００３６】
図８及び図９を参照すると、ダウンリンクで、ＢＣＨはＰＢＣＨ(physical  broadcast  channel)にマッピングされ、ＭＣＨはＰＭＣＨ(physical  multicast  channel)にマッピングされ、ＰＣＨとＤＬ-ＳＣＨは、ＰＤＳＣＨ(physical  downlink  shared  channel)にマッピングされる。ＰＢＣＨは、ＢＣＨ伝送ブロックを運び、ＰＭＣＨはＭＣＨを運び、ＰＤＳＣＨはＤＬ-ＳＣＨとＰＣＨを運ぶ。アップリンクで、ＵＬ-ＳＣＨはＰＵＳＣＨ(physical  uplink  shared  channel)にマッピングされ、ＲＡＣＨはＰＲＡＣＨ(physical  random  access  channel)にマッピングされる。ＰＲＡＣＨはランダムアクセスプリエンブルを運ぶ。
【００３７】
物理階層で使われる複数個の物理制御チャネルがある。ＰＤＣＣＨ(physical  downlinkcontrol  channel)は、端末でＰＣＨとＤＬ-ＳＣＨの資源割当及びＤＬ_ＳＣＨと関連したＨＡＲＱ情報に対して知らせる。ＰＤＣＣＨは、端末にアップリンク伝送の資源割当を知らせるアップリンクスケジューリンググラントを運ぶことができる。ＰＣＦＩＣＨ(physical  control  format  indicator  channel)は、端末にＰＤＣＣＨに使われるＯＦＤＭシンボルの数を知らせ、サブフレーム毎に伝送される。ＰＨＩＣＨ(physical  Hybrid  ARQ  Indicator  Channel)は、アップリンク伝送の応答としてＨＡＲＱ  ＡＣＫ/ＮＡＫ信号を運ぶ。ＰＵＣＣＨ(Physical  uplink  control  channel)は、ダウンリンク伝送に対するＨＡＲＱ  ＡＣＫ/ＮＡＫ、スケジューリング要請及びＣＱＩのようなアップリンク制御情報を運ぶ。
【００３８】
基地局は、システム情報(System  Information)を用いてネットワークに接続するための基本的な情報を端末に知らせる。システム情報は、端末が基地局に接続するために知っていなければならない必須情報を含む。従って、端末は、基地局に接続する前にシステム情報を全て受信していなければならなず、また、常に最新のシステム情報を有していなければならない。システム情報は、一セル内の全ての端末が知っていなければならない情報であるため、基地局は、周期的にシステム情報を伝送する。
【００３９】
これから、アイドルモード(idle  mode)にある端末のセル選択(cell  selection)及びセル再選択(cell  reselection)手順に対して説明する。以下、信号の強度(strength)やＳＩＮＲ(Signal-to-Interference  plus  Noise  Ratio)と関連した物理的信号の特性を簡単に信号特性と略称する。
【００４０】
基本的にセルを選択する目的は、端末が基地局からサービスを受けるためにネットワークに登録をするためである。ここに、端末の移動性によって端末と基地局との間の信号の強度や品質が落ちるようになると、端末はデータの伝送品質を維持するための目的として他のセルを再選択する。
【００４１】
無線環境にともなう信号特性に従ってセルを選択する方法があり、(１)端末の容量(UE  capability)、(２)加入者情報(Subscriber  Information)、(４)キャンプ負荷平衡(Camp  load  balancing)及び(４)トラフィック負荷平衡(Traffic  load  balancing)のような基準(criteria)が、端末がセルを選択する過程に使われることができる。端末の容量は、端末が選択できる周波数帯域に従ってセルを選択するものをいう。端末が自体的に使用可能な周波数帯域は制約的な場合があるためである。加入者情報は、加入者情報または事業者政策に従って端末がセルを選択可能または不可能に設定されることができるものを意味する。キャンプ負荷平衡は、アイドル状態にある端末が一つのセルで活性化(Activation)される時に発生するデータによる負荷を縮めるために少ない数の端末が使用中であるセルを選択するものをいう。トラフィック負荷平衡は、活性化された端末で発生されるデータによる負荷を縮める観点でセルを変える基準である。キャンプ負荷平衡とトラフィック負荷平衡によると、同じセル内の端末が無線資源を共有して通信して、セル間の負荷に対する均衡を合せるため、無線資源を效率的に利用することができる。
【００４２】
図１０は、アイドルモード(idle  mode)で端末がセルを選択する過程を示すフローチャートである。
【００４３】
図１０を参照すると、端末は、電源がつくと自分がサービスを受けようとするＰＬＭＮ(Public  Land  Mobile  Network)のような外部ネットワークを選択する(Ｓ１１０)。端末は、ＰＬＭＮの優先順位目録に基づいてＰＬＭＮを選択することができる。端末は、ブロードキャストチャネルを介したシステム情報から一つ以上のＰＬＭＮの目録を獲得することができる。
【００４４】
端末は、選択されたＰＬＭＮと通信するための無線接続技術(Radio  Access  Technology；ＲＡＴ)を選択する(Ｓ１２０)。ＰＬＭＮとＲＡＴは、端末の使用者が選択してもよく、端末内部に予め格納されているものを使用してもよい。
【００４５】
端末は、セル選択過程を遂行する(Ｓ１３０)。端末は、選択されたＰＬＭＮのセルを探索して利用可能なサービスを提供する適切なセルを選択する。セル選択過程は、初期セル選択(initial  cell  selection)過程及び格納情報セル選択(stored  information  cell  selection)過程を含む。初期セル選択過程で端末はシステムのＲＦ(radio  frequency)チャネルに対して事前に知らずに全体ＲＦチャネルをスキャンする。格納情報セル選択過程で端末は事前に測定されたセルまたは制御情報から獲得したセル情報を用いて適切なセルを選択する。格納情報セル選択過程で適切なセルを選択することができない場合、端末は初期セル選択過程を遂行する。
【００４６】
端末は、基地局から伝送された信号の強度または信号品質が特定の臨界値より大きいセルの中からもっとも大きい値を有するセルを選択する。セル選択のための臨界値は、データ送信または受信における物理的信号に対する品質の保障を受けるためにシステムにおいて定義された値をいう。選択されたＲＡＴに従ってセル選択のための臨界値は変わることができる。端末は、選択したセルの制御チャネルに同調(tune)する。端末は、基地局から周期的に伝送されるシステム情報を受信する。
【００４７】
セル選択過程で端末はネットワークに登録することができる。端末は、ネットワークからページング(paging)のようなサービスの提供を受けるために自分の情報をネットワークに登録する。端末は、セルを選択する時毎に接続するネットワークに登録をすることではなく、システム情報から受けたネットワークの情報と自分が知っているネットワークの情報が異なる場合にネットワークに登録する。
【００４８】
端末は、セル再選択の必要如何を評価してセル再選択過程を遂行する(Ｓ１４０)。端末は、セル再選択が必要でないと、セル再選択過程を遂行せずに現在のサービングセル(serving  cell)を維持する。端末は、サービスを受けているサービングセルから測定した信号の強度や品質の値がセル再選択のための臨界値より低い場合、サービングセルより良い信号特性を提供する隣接セル(neighbor  cell)の中から一つを選択する。信号測定の対象としては、ＲＳＲＰ(Reference  Symbol  Received  Power)、ＲＳＰＱ(Reference  Symbol  Received  Quality)、ＲＳＳＩ(Received  Signal  Strength  Indicator)などを考慮することができる。
【００４９】
図１１は、端末がセル再選択のためにセル探索を遂行する基準を示す。
【００５０】
図１１を参照すると、端末は、サービングセルからの信号を周期的に測定してセル再選択如何を決定する。端末は、サービングセルから測定した信号の強度や品質を臨界値と比較してセル再選択のためのセル探索を制限する。
【００５１】
式１は、セル再選択のためのセル探索の一つの基準(criterion)を示す。
【００５２】
【数１】
2010527178.tif 000003
ここで、ＳServingCellは、サービングセルから測定した信号特性(例えば、ＲＳＲＰ)、Ｓintrasearchは、周波数内測定(intra-frequency  measurement)のため臨界値である。周波数内測定は、同じＥ-ＵＴＲＡＮの周波数帯域を測定することを意味する。周波数内測定は、サービングセルと同じ周波数帯域を使用する隣接セルの信号特性を測定することを意味する。サービングセルから測定した信号特性が周波数内測定のための臨界値より大きいと、端末は周波数内測定を遂行しない。即ち、サービングセルの信号特性が隣接セルの信号特性より良い状態であるため、セル再選択が必要なく、端末は、セル再選択のためのセル探索を遂行しない。サービングセルから測定した信号特性が周波数内測定のための臨界値より小さいと、端末は、周波数内測定を遂行する。
【００５３】
式２は、セル再選択のためのセル探索の他の一つの基準を示す。
【００５４】
【数２】
2010527178.tif 000004
ここで、Ｓintersearchは、周波数間測定(inter-frequency  measurement)のため臨界値である。周波数間測定は、サービングセルと異なる周波数帯域を使用する隣接セルの信号特性を測定することを意味する。周波数間測定は、相異のＥ-ＵＴＲＡＮの周波数帯域を測定することを意味する。サービングセルから測定した信号特性が周波数間測定のための臨界値より大きいと、端末は、周波数間測定を遂行しない。サービングセルから測定した信号特性が周波数間測定のための臨界値より小さいと、端末は、周波数間測定を遂行する。
【００５５】
サービングセルの信号品質が周波数内測定のための第１臨界値より小さくなると周波数内測定のみ遂行され、周波数間測定のための第２臨界値より小さくなると周波数内測定及び周波数間測定が遂行される。信号測定を介したセル探索の遂行基準をＳ-ｃｒｉｔｅｒｉｏｎという。
【００５６】
端末は、周波数内測定または周波数間測定の遂行基準を満たすとサービングセル及び隣接セルの等級(cell-ranking)を整列する。式３は、セル等級を整列する基準を示す。これをＲ-ｃｒｉｔｅｒｉｏｎという。
【００５７】
【数３】
2010527178.tif 000005
ここで、Ｒｓはサービングセルのセル等級、Ｒｎは隣接セルのセル等級、Ｑｍｅａｓ,ｓはサービングセルのＲＳＲＰ測定値、Ｑｍｅａｓ,ｎは隣接セルのＲＳＲＰ測定値を意味する。サービングセルに加重値を与えるためにＱｈｙｓｔｓが使われて、サービングセルと再選択するセルとの偏差(bias)を与えることができるようにＱｏｆｆｓｅｔが使われる。Ｑｈｙｓｔｓ及びＱｏｆｆｓｅｔはシステム情報を介して端末に与えられることができる。
【００５８】
端末は、再選択時間(Ｔreselection)の間にＲｎ＞Ｒｓ条件を満たす隣接セルの中から最も高い等級のセルにセル再選択過程を遂行する。再選択時間は、システム情報を介して基地局が端末に知らせる値であって、特定時間以上セル選択の条件を満たさなければならないという制約をおくために使われる。セルの変更はＲＡＴの変更を意味することができる。ＲＡＴ種類の例として、ＧＳＭ(Global  System  for  Mobile  communications)/ＧＰＲＳ(General  Packet  Radio  Service)、ＵＭＴＳ、Ｅ-ＵＭＴＳなどがある。ＲＡＴの変更のために隣接セルのＲＡＴを測定することをＲＡＴ間測定(inter-RAT  measurement)という。
【００５９】
端末は、ネットワークにサービスを要請する、或いはネットワークからサービスを受けるためにアイドルモードで待機する。アイドルモードの端末は、現在サービスを受けているセルと隣接したセルの信号測定を介してさらに良い信号特性を有するセルを再選択する過程を繰り返す。
【００６０】
信号測定に基づいてセル再選択のためのセル探索を遂行する方式は、端末の電力消費を縮めることができる方法である。然しながら、信号測定に基づく方式は、、端末依存的方式であって、システムのキャンプ負荷(camp  load)やトラフィック負荷(traffic  load)のようにシステム側面で考慮されるべき要素が反映されない。基地局が必要に応じて端末のセル再選択を調節する必要がある。
【００６１】
図１２は、本発明の一実施例に係る端末がセルを再選択する過程を示すフローチャートである。
【００６２】
図１２を参照すると、基地局は端末に優先順位(priority)を付与して端末のセル再選択過程を調節することができる。または、端末は事前に有している優先順位を用いてセル再選択過程を遂行することができる。優先順位は、セル再選択において相異の周波数帯域を使用するサービングセル及び隣接セル間の優先順位を示す。優先順位は、相異のＥ-ＵＴＲＡＮの周波数またはＲＡＴ間(inter-RAT)周波数に対する優先順位を示す。端末は、優先順位の如何に従ってセル再選択過程を異に遂行する。優先順位が付与されると、端末は、高い優先順位のセルに対してはＳ-ｃｒｉｔｅｒｉｏｎの充足如何に関係なしに周波数間測定(inter-frequency  measurement)またはＲＡＴ間測定(inter-RAT  measurement)を遂行する。
【００６３】
端末は、優先順位を確認する(Ｓ２１０)。優先順位は、サービングセルから与えられることもでき、端末が予め有している情報を介して優先順位を定めることもできる。優先順位は、１ビットに優先順位適用如何を指示することができる。または、優先順位は、周波数間測定及びＲＡＴ間測定の各々に対して優先順位適用如何を指示することもできる。または、優先順位はシステムのキャンプ負荷やトラフィック負荷などを考慮した特定確率値に端末に提供されることができる。例えば、現在Ｅ-ＵＴＲＡＮのシステム負荷が他のＥ-ＵＴＲＡＮに比べて大きい場合、自分の優先順位を低くして端末に提供する、或いはシステム負荷が小さな場合、自分の優先順位を高めて端末に提供することができる。システム負荷としては、基地局がサービスするセルの端末の数、基地局が各セルでサービスしているトラフィックの量、端末が要求するＱｏＳ(Quality  of  Service)、基地局が提供するＱｏＳ、加入者のＱｏＳなどが考慮される。
【００６４】
優先順位は、システム情報を介して端末に提供されることができる。または、優先順位はＲＲＣメッセージを介して端末に提供されることができる。ＲＲＣメッセージは、システム情報(System  Information)、呼び出しメッセージ(Paging  Message)、無線ベアラ設定(Radio  Bearer  Setup)メッセージ、無線ベアラ再設定(Radio  Bearer  Reconfiguration)メッセージ、ＲＲＣ連結要請(Connection  Request)メッセージ、ＲＲＣ連結設定(RRC  Connection  Setup)メッセージ、ＲＲＣ連結解除(RRC  Connection  Release)メッセージなどである。
【００６５】
優先順位は、専用シグナリングにより端末に提供されることができ、端末は、専用シグナリングにより提供された優先順位以外のシステム情報を介して提供される他の優先順位を無視する。端末が優先順位を付与したＰＬＭＮを外れる、或いは端末がＲＲＣ連結状態になる、或いは優先順位の有効時間が終了される時まで、端末は、専用シグナリングにより提供された優先順位を用いてセルの再選択過程を遂行する。
【００６６】
優先順位が付与された端末は、周波数間測定(inter-frequency  measurement)またはＲＡＴ間測定(inter-ＲＡＴmeasurement)を遂行する(Ｓ２２０)。端末は、優先順位に従って周波数間測定またはＲＡＴ間測定を遂行する。(１)端末は、現在のＥ-ＵＴＲＡＮの優先順位より高い優先順位を有するＥ-ＵＴＲＡＮに対して周波数間測定またはＲＡＴ間測定を遂行する。(２)端末は、現在のＥ-ＵＴＲＡＮの優先順位と同じ、或いは低い優先順位を有するＥ-ＵＴＲＡＮに対して式２の基準を適用して周波数間測定またはＲＡＴ間測定を遂行する。このとき、Ｓintersearchは、周波数間測定(inter-frequency  measurement)またはＲＡＴ間測定のための臨界値である。即ち、高い優先順位の隣接セルに対してはＳ-ｃｒｉｔｅｒｉｏｎに関係なしに周波数間測定またはＲＡＴ間測定を遂行して、低い優先順位の隣接セルに対してはＳ-ｃｒｉｔｅｒｉｏｎ  を満たす隣接セルに限って周波数間測定またはＲＡＴ間測定を遂行する。
【００６７】
端末は、優先順位に従って次の通りにセル再選択を遂行する(Ｓ２３０)。
【００６８】
(１)現在のＥ-ＵＴＲＡＮの優先順位より高い優先順位を有するＥ-ＵＴＲＡＮまたはＲＡＴのセルの中から信号特性が第１の優先順位臨界値より高いセルが再選択される。端末は、優先順位が高くて信号特性が第１の優先順位臨界値より高いセルの中から信号特性が最も良いセルにセル再選択を遂行する。第１の優先順位臨界値は、高い優先順位へのセル再選択基準である。第１の優先順位臨界値は、Ｅ-ＵＴＲＡＮまたはＲＡＴに従って異に与えられることができる。
【００６９】
(２)端末は、優先順位が同じＥ-ＵＴＲＡＮに対して式３に従ってセルの等級を整列してセル再選択を遂行することができる。優先順位が同じＥ-ＵＴＲＡＮにおけるセル再選択は、同じＥ-ＵＴＲＡＮのセルに対する周波数内測定を用いたセル再選択といえる。
【００７０】
(３)現在のＥ-ＵＴＲＡＮまたは高い優先順位のＥ-ＵＴＲＡＮ/ＲＡＴのセルの中から信号特性が第１の優先順位臨界値より大きいセルがなく、またサービングセルの信号特性がセル再選択を遂行するように定義された値より低い場合、端末は、低い優先順位のＥ-ＵＴＲＡＮまたはＲＡＴのセルにセル再選択を遂行する。端末は、低い優先順位のＥ-ＵＴＲＡＮまたはＲＡＴのセルの中から信号特性が第２の優先順位臨界値より高いセルにセル再選択を遂行する。第２の優先順位臨界値は、高い優先順位から低い優先順位へのセル再選択基準である。第２の優先順位臨界値は、Ｅ-ＵＴＲＡＮまたはＲＡＴに従って異に与えられることができる。
【００７１】
図１３は、本発明の他の実施例に係る端末がセルを再選択する過程を示すフローチャートである。端末に優先順位が付与されない場合である。
【００７２】
図１３を参照すると、端末に優先順位が付与されない場合、端末は、信号測定基盤、即ち、Ｓ-ｃｒｉｔｅｒｉｏｎに基づいてセル再選択を遂行する(Ｓ３１０)。
【００７３】
端末は、サービングセルからの信号を測定して式１または式２に従って周波数内測定または周波数間測定を遂行する(Ｓ３２０)。
【００７４】
端末は、周波数内測定または周波数間測定の遂行基準を満たすと、サービングセル及び隣接セルの等級を整列して、Ｒｎ＞Ｒｓ条件を満たす隣接セルの中から最も高い等級のセルに再選択する(Ｓ３３０)。
【００７５】
端末は、セル再選択のために優先順位の付与如何を確認する。優先順位が付与された場合、端末は、図１２と同様に優先順位にともなうセル再選択過程を遂行して、優先順位が付与されない場合、端末は図１３と同様にＳ-ｃｒｉｔｅｒｉｏｎに基づいてセル再選択過程を遂行する。
【００７６】
端末に優先順位が付与されないと端末のチャネル品質に従ってセル再選択過程が遂行される。優先順位が付与されない場合にもシステムの負荷を考慮して端末のセル再選択を調節する必要がある。
【００７７】
図１４は、本発明の一実施例に係る端末がセル再選択のためにセル探索を遂行する基準を示す。
【００７８】
図１４を参照すると、基地局は、端末にセル再選択指示子を提供して端末のセル再選択を調節する。セル再選択指示子は、セル再選択時に使われるＳ-ｃｒｉｔｅｒｉｏｎの臨界値またはＲ-ｃｒｉｔｅｒｉｏｎのセル等級を調節するパラメータまたはパラメータの増減値を指示することができる。セル再選択指示子は、システム情報を介してセル内の全ての端末にブロードキャストされることができる。または、セル再選択指示子は、特定端末グループにマルチキャストされる、或いは一つの端末にユニキャストされることができる。
【００７９】
式４は、Ｓ-ｃｒｉｔｅｒｉｏｎの臨界値を調節するパラメータが追加された周波数内測定の基準を示す。
【００８０】
【数４】
2010527178.tif 000006
ΔＳintrasearchは、周波数内測定の臨界値を調節するＳ-ｃｒｉｔｅｒｉｏｎの第１のパラメータである。第１のパラメータの値が増加すると、周波数内測定を遂行する端末の数が増加して、第１のパラメータの値が減少すると、周波数内測定を遂行する端末の数が減少する。即ち、第１のパラメータを調節することによって周波数内測定を遂行する端末の数を調節することができる。
【００８１】
式５は、Ｓ-ｃｒｉｔｅｒｉｏｎの臨界値を調節するパラメータが追加された周波数間測定の基準を示す。
【００８２】
【数５】
2010527178.tif 000007
ΔＳintersearchは、周波数間測定の臨界値を調節するS-criterionの第２のパラメータである。第２のパラメータの値が増加すると、周波数間測定を遂行する端末の数が増加して、第２のパラメータの値が減少すると、周波数間測定を遂行する端末の数が減少する。即ち、第２のパラメータを調節することによって周波数間測定を遂行する端末の数を調節することができる。
【００８３】
式６は、Ｒ-ｃｒｉｔｅｒｉｏｎのセル等級を調節するパラメータが追加されたセル等級を整列する基準を示す。
【００８４】
【数６】
2010527178.tif 000008
Ｒｎ,ｉｎｔｒａは周波数内測定で隣接セルのセル等級、Ｒｎ,ｉｎｔｅｒは周波数間測定で隣接セルのセル等級を意味する。ΔＱｏｆｆｓｅｔｎ,ｉｎｔｒａは、周波数内測定で隣接セルのセル等級を調節する第３のパラメータであり、ΔＱｏｆｆｓｅｔｎ,ｉｎｔｅｒは、周波数間測定で隣接セルのセル等級を調節する第４のパラメータである。周波数内測定で第３のパラメータの値が増加すると、周波数内セル再選択(intra-cell  reselection)確率が低くなり、第３のパラメータの値が減少すると、隣接セルへの周波数内セル再選択確率が高まる。周波数間測定で第４のパラメータの値が増加すると、周波数間セル再選択(inter-cell  reselection)確率が低くなり、第４のパラメータの値が減少すると、隣接セルへの周波数間セル再選択確率が高まる。
【００８５】
システム負荷が高くて端末等のセル再選択を調節する必要があるとしたら、基地局は、システム負荷を縮めるために端末のセル再選択を増加させる。基地局は、第１のパラメータまたは第２のパラメータを増加させて周波数内測定または周波数間測定を遂行する端末の数を増加させる。また、基地局は、第３のパラメータまたは第４のパラメータを減少させて端末が隣接セルへのセル再選択確率を増加させる。基地局は、第１ないし第４のパラメータの中から選択的にパラメータの値を調節してシステム負荷を減少させることができる。基地局間にＳ-ｃｒｉｔｅｒｉｏｎまたはＲ-ｃｒｉｔｅｒｉｏｎの基準をお互いに共有してシステム負荷の均衡を調節することができる。
【００８６】
基地局は、周波数内セル再選択または周波数間セル再選択のうちいずれを優先的に遂行させるかを第３のパラメータ及び第４のパラメータにより調節することができる。例えば、第３のパラメータに比べて第４のパラメータの値を相対的に大いに減少させると、周波数間セル再選択が遂行される確率が高まり周波数内セル再選択に比べて周波数間セル再選択が優先的に遂行されることができる。第３のパラメータまたは第４のパラメータは、セルまたは階層に従って異に調節されることができる。第３のパラメータまたは第４のパラメータは、同じ階層ではセルに関係なしに同じ値を有することができる。
【００８７】
セル再選択指示子は、システム情報のオーバーヘッドを考慮して決められることができる。セル再選択指示子が第１ないし第４のパラメータの実際値を指示する場合、システム情報のオーバーヘッドが大きいことがある。セル再選択指示子は、第１ないし第４のパラメータの増減値を指示することができる。または、セル再選択指示子は、第１ないし第４のパラメータの増減如何を指示することができる。例えば、第１ないし第４のパラメータの増加または減少の大きさが決められている時、セル再選択指示子は、１ビットに第１ないし第４のパラメータの増加または減少を指示することができる。セル再選択指示子は、第１ないし第４のパラメータの中から選択的にいずれか一つの実際値または増減値を指示することができる。
【００８８】
一方、システム負荷を考慮する時、周波数内セル再選択より周波数間セル再選択を調節することが効果的な場合がある。周波数内測定に関連した第１及び第３のパラメータは、固定された値に置いて周波数間測定に関連した第２及び第４のパラメータのみをセル再選択指示子により調節することができる。セル再選択指示子は、第２及び第４のパラメータの各々の増減値または増減如何を指示することができる。または、システム負荷平衡のための第２及び第４のパラメータの増加または減少の大きさが基地局と端末との間に予め決められていることがあり、セル再選択パラメータは、１ビットであって、第２及び第４のパラメータの増減如何を一度に指示することができる。例えば、セル再選択指示子が１であると、セル負荷の増加を意味して、セル再選択指示子が０であると、セル負荷の減少を意味して、セル再選択指示子が伝送されないと、セル負荷の変動が無いことを意味するとしたら、セル再選択指示子が１に伝送されると、端末は第２のパラメータを、決められた値に増加させて、第４のパラメータを、決められた値に減少させて周波数間セル再選択過程を遂行する。セル再選択指示子が０に伝送されると、端末は第２のパラメータを、決められた値に減少させて、第４のパラメータを、決められた値に増加させて周波数間セル再選択過程を遂行する。
【００８９】
前述した全ての機能は、前記機能を遂行するようにコーディングされたソフトウェアやプログラムコードなどにともなうマイクロプロセッサ、制御機、マイクロ制御機、ＡＳＩＣ(Application  Specific  Integrated  Circuit)などのようなプロセッサにより遂行されることができる。前記コードの設計、開発及び具現は、本発明の説明に基づいて当業者に自明である。
【００９０】
以上、本発明に対して実施例を参照して説明したが、該当技術分野の通常の知識を有した者は、本発明の技術的思想及び領域から外れない範囲内で本発明を多様に修正及び変更させて実施できることを理解することができる。従って、前述した実施例に限定することなく、本発明は特許請求の範囲内の全ての実施例を含む。
【符号の説明】
【００９１】
１０、５０  端末
２０  基地局
３０  ＭＭＥ/Ｓ-ＧＷ
５１  プロセッサ
５２  メモリ
５３  ＲＦ部
５４  ディスプレー部
５５  使用者インターフェース部
【図１】
2010527178.tif 000009
2010527178.tif 000010
【図２】
2010527178.tif 000011
【図３】
2010527178.tif 000012
【図４】
2010527178.tif 000013
【図５】
2010527178.tif 000014
2010527178.tif 000015
【図６】
2010527178.tif 000016
【図７】
2010527178.tif 000017
【図８】
2010527178.tif 000018
【図９】
2010527178.tif 000019
【図１０】
2010527178.tif 000020
【図１１】
2010527178.tif 000021
【図１２】
2010527178.tif 000022
【図１３】
2010527178.tif 000023
【図１４】
2010527178.tif 000024
【国際調査報告】
2010527178.tif 000025
2010527178.tif 000026